(57)【要約】【課題】未登録のセンサを利用可能とする、センサの登録方法及びセンサの登録システムを提供する。【解決手段】少なくとも１つの接続ポートを備える第１通信装置に接続されるセンサを、当該センサから得られるデータの処理を行う情報処理装置に登録するセンサの登録方法であって、前記センサが接続された前記接続ポートと前記センサの種類を含むセンサ情報とを関連付けた関連情報を生成する生成ステップと、前記関連情報を予め設定されたフォーマットに変換して前記情報処理装置に送信し、前記接続ポートに接続された前記センサを前記情報処理装置に登録する登録ステップと、を含む。【選択図】図１
2018128733.tif 000002
【特許請求の範囲】
【請求項１】
少なくとも１つの接続ポートを備える第１通信装置に接続されるセンサを、当該センサから得られるデータの処理を行う情報処理装置に登録するセンサの登録方法であって、
前記センサが接続された前記接続ポートと前記センサの種類を含むセンサ情報とを関連付けた関連情報を生成する生成ステップと、
前記関連情報を予め設定されたフォーマットに変換して前記情報処理装置に送信し、前記接続ポートに接続された前記センサを前記情報処理装置に登録する登録ステップと、
を含む、センサの登録方法。
【請求項２】
前記生成ステップは、
操作可能な通信端末の構成をとる第２通信装置に対して、前記操作により、前記センサが接続された前記接続ポートの情報と前記センサの種類を含むセンサ情報とが入力される入力ステップと、
前記第２通信装置が、前記入力ステップにより入力された前記接続ポートの情報と前記センサ情報とを関連付けることで前記関連情報を生成する関連情報生成ステップと、
を含む、
請求項１に記載のセンサの登録方法。
【請求項３】
前記登録ステップは、
前記第１通信装置と前記情報処理装置との間の通信を中継する中継装置が、前記第２通信装置と通信を行って、前記関連情報生成ステップにおいて生成された前記関連情報を前記第２通信装置から取得する取得ステップと、
前記中継装置が、前記関連情報を前記情報処理装置に登録するためのフォーマットに変換する変換する変換ステップと、
前記中継装置が、前記変換ステップで変換した前記関連情報を前記情報処理装置に送信する送信ステップと、
を含む、
請求項２に記載のセンサの登録方法。
【請求項４】
センサを、当該センサから得られるデータの処理を行う情報処理装置に登録するセンサの登録システムであって、
前記センサが接続される少なくとも１つの接続ポートを備える第１通信装置と、
前記センサが接続された前記接続ポートと前記センサの種類を含むセンサ情報とを関連付けた関連情報を予め設定されたフォーマットに変換して前記情報処理装置に送信し、前記接続ポートに接続された前記センサを前記情報処理装置に登録する第２通信装置と、
を備える、センサの登録システム。
【請求項５】
前記第２通信装置は、前記第１通信装置と前記情報処理装置との間の通信を中継する中継装置であって、
利用者の操作により、前記センサが接続された前記接続ポートの情報と前記センサの種類を含むセンサ情報とが入力される入力部と、
前記入力部により入力された前記接続ポートの情報と前記センサ情報とを関連付けることで前記関連情報を生成する制御部と、
前記制御部により生成された前記関連情報を前記中継装置に送信する通信部と、
を備える通信端末をさらに備える請求項４に記載のセンサの登録システム。
【請求項６】
前記中継装置は、
前記第２通信装置と通信を行って前記第２通信装置から取得した前記関連情報を前記フォーマットに変換し、変換した前記関連情報を情報処理装置に送信する信号処理部を備える、
請求項５に記載のセンサの登録システム。
【請求項７】
少なくとも１つの接続ポートを備える第１通信装置と、当該第１通信装置に接続されたセンサから得られるデータの処理を行う情報処理装置との間の通信を中継し、第１通信装置に接続されたセンサを前記情報処理装置に登録する中継装置であって、
前記センサが接続された前記接続ポートと前記センサの種類を含むセンサ情報とを関連付けた関連情報を予め設定されたフォーマットに変換して前記情報処理装置に送信し、前記接続ポートに接続された前記センサを前記情報処理装置に登録する中継装置。
【発明の詳細な説明】
【技術分野】
【０００１】
本発明は、センサの登録方法、センサの登録システム及び中継装置に関する。
【背景技術】
【０００２】
プラントや工場等においては、種々のエンジニアリングシステムが構築されており、高度な自動操業が実現されている。プラント等に構築されるエンジニアリングシステムとしては、分散制御システム（ＤＣＳ：Distributed Control System）、製造実行システム（ＭＥＳ：Manufacturing Execution System）、プラント情報管理システム（ＰＩＭＳ：Plant Information Management System）、基幹業務システム（ＥＲＰ：Enterprise Resource Planning）等が挙げられる。
【０００３】
従来、これらのエンジニアリングシステムは、例えばＰＬＣ（Programmable Logic Controller）、ＦＡ（Factory Automation）コンピュータ、汎用デスクトップコンピュータ、サーバ装置等のプラントに設置された装置を用いて実現されるのが殆どであった。近年においては、通信技術の進展によって、これらエンジニアリングシステムの一部が、ネットワークを介したクラウドコンピューティングによって実現されている。
【０００４】
以下の特許文献１には、工業自動化及び生産システム用のクラウドコンピューティングが開示されている。また、以下の特許文献２には、クラウドコンピューティング環境において用いられるアプリケーションプログラムを開発するための開発環境を、クラウドコンピューティングによって提供する技術の一例が開示されている。
【０００５】
ところで、上述したプラント等においては、各種プロセス値（例えば、温度、圧力、流量等）を測定する多種多様のセンサが設けられている。そして、クラウドコンピューティングの普及によって、これらセンサの測定結果をクラウドサーバで管理する場合がある。
【０００６】
また、プラント以外の用途でも、河川、道路等のインフラ、作物や畜産等の農業分野、気象、健康管理、移動手段等、センサを取り付け、多種多様な物理量の計測の需要が高まりを見せており、クラウドでのセンサの管理、データの統計解析等を行う機会が増えてきている。なお、クラウドサーバは、クラウド環境に構築されたサーバで、インターネット等のネットワークを介した利用を前提としたサーバである。クラウドサーバは、クラウドコンピューティングを構成する１または複数の電子デバイス、端末装置、サーバ、または汎用パソコン等からなる。クラウドコンピューティングは、NISTによるクラウドコンピューティングの定義(SP 800-145).URL：https://www.ipa.go.jp/files/000025366.pdfに定義されている。
【先行技術文献】
【特許文献】
【０００７】
【特許文献１】特表２０１２−５２３０３８号公報
【特許文献２】特許第５７９２８９１号公報
【発明の概要】
【発明が解決しようとする課題】
【０００８】
ただし、これらのセンサをクラウドコンピューティングで実現されるシステムで使用する場合には、そのセンサの識別情報を事前にクラウドサーバに登録する必要がある。したがって、事前に識別情報をクラウドサーバに登録できないセンサ（例えば、他社製品のセンサ）は、上記システムに用いることができない。また、現場において、複数のセンサが設置されている場合には、どのセンサがどの位置に設置されているのか判別するのが困難である場合がある。
【０００９】
本発明は、このような事情に鑑みてなされたもので、その目的は、未登録のセンサを利用可能とする、センサの登録方法、センサの登録システム及び中継装置を提供することである。
【課題を解決するための手段】
【００１０】
本発明の一態様は、少なくとも１つの接続ポートを備える第１通信装置に接続されるセンサを、当該センサから得られるデータの処理を行う情報処理装置に登録するセンサの登録方法であって、前記センサが接続された前記接続ポートと前記センサの種類を含むセンサ情報とを関連付けた関連情報を生成する生成ステップと、前記関連情報を予め設定されたフォーマットに変換して前記情報処理装置に送信し、前記接続ポートに接続された前記センサを前記情報処理装置に登録する登録ステップと、を含む、センサの登録方法である。
【００１１】
本発明の一態様は、上述のセンサの登録方法であって、前記生成ステップは、操作可能な通信端末の構成をとる第２通信装置に対して、前記操作により、前記センサが接続された前記接続ポートの情報と前記センサの種類を含むセンサ情報とが入力される入力ステップと、前記第２通信装置が、前記入力ステップにより入力された前記接続ポートの情報と前記センサ情報とを関連付けることで前記関連情報を生成する関連情報生成ステップと、を含む。
【００１２】
本発明の一態様は、上述のセンサの登録方法であって、前記登録ステップは、前記第１通信装置と前記情報処理装置との間の通信を中継する中継装置が、前記第２通信装置と通信を行って、前記関連情報生成ステップにおいて生成された前記関連情報を前記第２通信装置から取得する取得ステップと、前記中継装置が、前記関連情報を前記情報処理装置に登録するためのフォーマットに変換する変換する変換ステップと、前記中継装置が、前記変換ステップで変換した前記関連情報を前記情報処理装置に送信する送信ステップと、を含む。
【００１３】
本発明の一態様は、センサを、当該センサから得られるデータの処理を行う情報処理装置に登録するセンサの登録システムであって、前記センサが接続される少なくとも１つの接続ポートを備える第１通信装置と、前記センサが接続された前記接続ポートと前記センサの種類を含むセンサ情報とを関連付けた関連情報を予め設定されたフォーマットに変換して前記情報処理装置に送信し、前記接続ポートに接続された前記センサを前記情報処理装置に登録する第２通信装置と、を備える、センサの登録システムである。
【００１４】
本発明の一態様は、上述のセンサの登録システムであって、前記第２通信装置は、前記第１通信装置と前記情報処理装置との間の通信を中継する中継装置であって、利用者の操作により、前記センサが接続された前記接続ポートの情報と前記センサの種類を含むセンサ情報とが入力される入力部と、前記入力部により入力された前記接続ポートの情報と前記センサ情報とを関連付けることで前記関連情報を生成する制御部と、前記制御部により生成された前記関連情報を前記中継装置に送信する通信部と、を備える通信端末をさらに備える。
【００１５】
本発明の一態様は、上述のセンサの登録システムであって、前記中継装置は、前記第２通信装置と通信を行って前記第２通信装置から取得した前記関連情報を前記フォーマットに変換し、変換した前記関連情報を情報処理装置に送信する信号処理部を備える。
【００１６】
本発明の一態様は、少なくとも１つの接続ポートを備える第１通信装置と、当該第１通信装置に接続されたセンサから得られるデータの処理を行う情報処理装置との間の通信を中継し、第１通信装置に接続されたセンサを前記情報処理装置に登録する中継装置であって、前記センサが接続された前記接続ポートと前記センサの種類を含むセンサ情報とを関連付けた関連情報を予め設定されたフォーマットに変換して前記情報処理装置に送信し、前記接続ポートに接続された前記センサを前記情報処理装置に登録する中継装置である。
【発明の効果】
【００１７】
以上説明したように、本発明によれば、未登録のセンサを利用可能とすることができる。
【図面の簡単な説明】
【００１８】
【図１】本発明の一実施形態に係るセンサの登録システム１の概略構成の一例を示す図である。
【図２】本発明の一実施形態に係るモジュール２の概略構成の一例を示す図である。
【図３】本発明の一実施形態に係る通信端末３の概略構成の一例を示す図である。
【図４】本発明の一実施形態に係る装置情報登録画面Ｗ１を説明する図である。
【図５】本発明の一実施形態に係る中継装置４の概略構成の一例を示す図である。
【図６】本発明の一実施形態に係るクラウドサーバ５の概略構成の一例を示す図である。
【図７】本発明の一実施形態に係る、デバイスＩＤ、モジュールＩＤ及びプロパティの階層を仮想的に示した図である。
【図８】本発明の一実施形態に係る記憶部５３に記憶されるセンサ１０の測定値について、説明する図である。
【図９】本発明の一実施形態に係る登録システム１における認証処理のシーケンス図である。
【図１０】本発明の一実施形態に係る登録システム１におけるセンサ１０の登録方法を説明する図である。
【図１１】本発明の一実施形態に係る登録システム１におけるセンサ１０の登録処理のシーケンス図である。
【図１２】本変形例の登録システム１Ａの概略構成の一例を示す図である。
【図１３】本変形例のモジュール２Ａの概略構成の一例を示す図である。
【図１４】本変形例の通信端末３Ａの概略構成の一例を示す図である。
【図１５】本変形例のセンサ探索画面Ｗ２を説明する図である。
【図１６】本変形例の登録システム１Ａにおける現場に設置されたセンサ１０の探索方法を説明する図である。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００２０】
明細書の全体において、ある部分がある構成要素を「含む」、「有する」や「備える」とする時、これは、特に反対の記載がない限り、他の構成要素を除くものではなく、他の構成要素をさらに含むことができるということを意味する。
【００２１】
以下、本発明の一実施形態に係る登録システムを、図面を用いて説明する。
【００２２】
ここで、本発明の一実施形態に係る登録システム１は、例えば、事前にセンサの種類や識別情報等のセンサ情報が不明であるセンサ１０を、顧客のセンサ設置現場（以下、単に「現場」という。）において、センサ１０をクラウドサーバに登録する登録システムである。
【００２３】
図１は、本発明の一実施形態に係るセンサの登録システム１の概略構成の一例を示す図である。図１に示すように、登録システム１は、複数のモジュール２（２−１，２−２，２−３，…２−Ｎ（Ｎ：１以上の整数）、通信端末３、中継装置４及びクラウドサーバ５を備える。なお、クラウドサーバ５は、この発明における「情報処理装置」の一例であってよい。また、モジュール２は、この発明における「第１通信装置」の一例であってよい。また、請求の範囲でいう「第２通信装置」は、通信端末３であっても、中継装置４であってもよい。ここで、モジュール２及び中継装置４は、各装置を一意に特定可能な識別情報を示す情報コードＣを備える。
【００２４】
複数のモジュール２−１，２−２，…，２−Ｎのそれぞれは、同一の構成を備える。複数のモジュール２−１，２−２，…，２−Ｎのそれぞれを区別しない場合には、単に「モジュール２」と標記する。ただし、複数のモジュール２−１，２−２，…，２−Ｎのそれぞれは、同一の構成ではなく、個別のモジュールを表してもよい。例えば、複数のモジュール２−１，２−２，…，２−Ｎの中に、既存のモジュールが含まれていてもよい。
モジュール２は、例えば、中継装置４と有線又は無線で通信することで情報を送受する。
【００２５】
図２は、本発明の一実施形態に係るモジュール２の概略構成の一例を示す図である。
図２に示すように、モジュール２は、複数の接続ポート２１（２１ａ，ｂ，ｃ）、記憶部２２、電源装置２３、制御部２４、表示部２５及び第１通信部２６を備える。
【００２６】
複数の接続ポート２１は、センサ１０が接続されるインターフェースである。本実施形態では、モジュール２は、３つの接続ポート２１ａ，ｂ，ｃを備える場合について説明するが、この数に限定されない。すなわち、モジュール２は、センサ１０が接続される接続ポートを有していればよい。ここで、センサ１０とは、温湿度センサ、圧力センサ、及び流量センサ、画像センサ等が例として考えられるが、センサであれば良くその種類を特定する必要はない。これらのセンサ１０は、様々なメーカーにより開発、製造され、これらのセンサ１０が様々な利用者（以下、「テナント」ともいう。）の現場、例えば、河川周辺、湖畔周辺、浄水場周辺、工場の排水ポンプ周辺、製造ライン、薬液生成ライン、オイルの精製所等に導入または設置される。すなわち、複数の接続ポート２１に接続されるセンサ１０は、それぞれ異なるメーカーに開発、製造されたものである場合がある。
【００２７】
記憶部２２には、複数のモジュール２（２−１，２−２,…，２−Ｎ）から、自装置のモジュール２を識別する識別情報（以下、「モジュールＩＤ」）が記憶されている。
【００２８】
電源装置２３は、モジュール２の各部に電源を供給する。電源装置２３は、ニッケル水素電池やリチウムイオン電池といった一次電池、あるいは二次電池を用いることができる。また、電源装置２３は、電池の代わりに、電気二重層キャパシタ（コンデンサ）を用いることもできる。このように、モジュール２は、内蔵する電源装置２３の電力で駆動するため、外部に配線して電力を得る必要がない。これにより、余計や配線等が必要なくなり、設置費用を抑制できる。但し、電池で賄えない様な電力を消費する場合は、外部電源を使用することも可能である。
【００２９】
制御部２４は、接続ポート２１に接続されたセンサ１０から取得した測定値を、その接続ポート２１に対応する記憶部２２の記憶領域に格納する。これらのデータは、制御部２４内部に持つ時刻情報と、接続ポート情報の識別情報とともに格納される、また、制御部２４は、測定値に対して演算を行う機能も備えており、例えば、センサ１０の温度補正、フィルタリング等を行う。さらに、制御部２４は、接続ポート２１に接続されたセンサ１０から取得した測定値に対して、自装置のモジュールＩＤと、そのセンサ１０を識別する情報と、を付与して中継装置４に無線又は有線で送信する。ここで、例えば、センサ１０を識別する情報とは、そのセンサ１０が接続された接続ポートを示す情報である。
【００３０】
また、制御部２４は、記憶部２２に記憶されたモジュールＩＤを示す情報コードＣの画像データを表示部２５に表示する。ここで、情報コードＣとは、ＱＲコード（登録商標）等のマトリックス型の二次元コードであっても、スタック型の二次元コードであってもよいし、一次元コードであってもよい。なお、この表示部２５は、情報コードＣが印字されたシールであってもよいし、直接モジュール２に印字或いは刻印されていてもよい。
【００３１】
第１通信部２６は、中継装置４と有線又は無線で通信することで情報を送受する。ここで、この無線通信における通信回線は、インターネット等のコンピュータネットワーク、通信事業者のコアネットワーク、及び種々のローカルネットワークを含む。例えば、第１通信部２６は、省電力広域ネットワーク(LPWAN：Low-power Wide-area)を用いてもよいし、短距離無線通信規格であるＺｉｇＢｅｅ（登録商標）、ＷｉＦｉ（登録商標）、ＢＬＥ等を用いてもよい。
【００３２】
通信端末３は、利用者により操作可能な装置である。
この通信端末３は、通信可能な端末であればどのような端末であってもよく、例えば、スマートフォン等の携帯電話、タブレット端末、及びＰＣ（Personal Computer）等である。
【００３３】
以下に、本発明の一実施形態に係る通信端末３について、説明する。
図３は、本発明の一実施形態に係る通信端末３の概略構成の一例を示す図である。
図３に示すように、通信端末３は、電源装置３１、読取装置３２、位置情報取得部３３、制御部３４、表示部３５、入力部３６、記憶部３７、第２通信部３８及び第３通信部３９を備える。
【００３４】
電源装置３１は、通信端末３の各部に電源を供給する。電源装置３１は、ニッケル水素電池やリチウムイオン電池といった一次電池および二次電池を用いることができる。また、電源装置３１は、二次電池の代わりに、電気二重層キャパシタ（コンデンサ）を用いることもできる。このように、通信端末３は、内蔵する電源装置３１の電力で駆動するため、外部に配線して電力を得る必要がない。これにより、余計や配線等が必要なくなり、容易に持ち歩きできる端末として使用できる。
【００３５】
読取装置３２は、情報コードＣを撮像する。そして、読取装置３２は、撮像した情報コードＣから識別情報を読み取る。例えば、読取装置３２は、モジュール２の情報コードＣを撮像した場合には、その撮像した情報コードＣからモジュール２のモジュールＩＤを読み取る。また、読取装置３２は、中継装置４の情報コードＣを撮像した場合には、その撮像した情報コードＣから中継装置４の識別情報（以下、「デバイスＩＤ」という。）を読み取る。
【００３６】
位置情報取得部３３は、自装置の位置情報を取得する。例えば、位置情報取得部３３は、ＧＰＳ（Global Positioning System）を用いることで位置情報を取得する。
【００３７】
制御部３４は、図４に示す表示部３５に表示された装置情報登録画面Ｗ１の装置ＩＤ・ＧＰＳ取得ボタンＢ１が押されると、読取装置３２による情報コードＣの読み取り画面が起動し、情報コードＣの画像取込指示を、例えば、表示部３５に表示して利用者に報知する。そして、制御部３４は、読取装置３２による識別情報（デバイスＩＤ又はモジュールＩＤ）の取り込みと同時に、位置情報取得部３３よる位置情報の取得を行う。
【００３８】
制御部３４は、読取装置３２により取り込んだ識別情報と、位置情報取得部３３より取得した位置情報と、を装置情報登録画面Ｗ１に表示する。利用者は、この装置情報登録画面Ｗ１において、センサ１０が接続された接続ポート２１の情報と、当該センサ１０の種類を含むセンサ情報と、を通信端末３に入力する。これにより、制御部３４は、入力された接続ポート２１の情報と、当該センサ１０の種類を含むセンサ情報と、を関連付けた関連情報を生成する。換言すれば、制御部３４は、この装置情報登録画面Ｗ１において、センサ１０が接続された接続ポート２１に対応するプロパティと、その接続ポート２１に接続されたセンサ１０のセンサ情報とを関連付ける。ここで、センサ情報とは、例えば、センサ１０の種類、測定レンジ及び感度等である。
また、利用者は、装置情報登録画面Ｗ１において、モジュール２の接続先の情報を入力することにより、そのモジュール２の接続先の中継装置４を指定する。このとき、通信端末３は、通信端末３内に保存されている、選択された中継装置４の接続情報より、接続に必要な情報をモジュール２に転送することで中継装置４への接続を可能にする。なお、モジュール２から中継装置４への接続の方法は、固定ＩＰ、ＤＨＣＰサーバ等接続を構築できる方法であれば、利用可能である。
【００３９】
なお、制御部３４は、装置情報登録画面Ｗ１に入力された情報をコピーし、他のセンサ１０やモジュール２の登録情報にペーストする機能を有する。例えば、登録が必要なセンサ１０が１００台あり、その１００台のセンサ１０のセンサ情報が同一であった場合には、利用者は、１台のセンサ１０のセンサ情報のみを入力し、その後、その入力した情報をコピーし、そのコピーした情報を、残りの９９台のセンサ情報として、一括入力できる機能を有する。利用者は、複数のセンサ１０や複数のモジュール２の情報を入力する場合に、同一の情報がある場合には、その情報を一括入力機能を用いることで、すべての装置の一台一台に対して情報を手入力する必要がなくなり、作業効率が向上する。
【００４０】
以下に、本発明の一実施形態に係る装置情報登録画面Ｗ１について、具体的に説明する。図４に示すように、装置情報登録画面Ｗ１は、装置ＩＤ・ＧＰＳ取得ボタンＢ１、プロパティ追加ボタンＢ２、保存ボタンＢ３、表示欄ＨＬ１、選択欄ＳＬ１〜ＳＬ８を備える。
装置ＩＤ・ＧＰＳ取得ボタンＢ１は、プロパティとして登録されるセンサ１０が接続されたモジュール２又は中継装置４の識別情報と位置情報とを取得する場合に操作されるボタンである。
選択欄ＳＬ１は、読取装置３２により読み取った識別情報が表示される。また、選択欄ＳＬ１は、モジュール２又は中継装置４の識別情報を選択可能な選択欄である。
【００４１】
表示欄ＨＬ１には、読取装置３２による情報コードＣの読み取りが実行された場合に位置情報取得部３３により取得した位置情報が表示される。
【００４２】
選択欄ＳＬ２は、選択欄ＳＬ１で表示された識別情報の装置、例えば、モジュール２の接続先の中継装置４の識別情報であるデバイスＩＤを選択可能な選択欄である。
選択欄ＳＬ３は、例えば、センサ１０が接続されている接続ポート２１ａのポート番号又は定数を選択可能な選択欄である。選択欄ＳＬ４は、接続ポート２１ａに接続されたセンサ１０のセンサ情報を選択可能な選択欄である。
選択欄ＳＬ５は、例えば、センサ１０が接続されている接続ポート２１ｂのポート番号又は定数を選択可能な選択欄である。選択欄ＳＬ６は、接続ポート２１ｂに接続されたセンサ１０のセンサ情報を選択可能な選択欄である。
選択欄ＳＬ７は、例えば、センサ１０が接続されている接続ポート２１ｃのポート番号又は定数を選択可能な選択欄である。選択欄ＳＬ８は、接続ポート２１ｃに接続されたセンサ１０のセンサ情報を選択可能な選択欄である。
【００４３】
このように、選択欄ＳＬ３，ＳＬ５，ＳＬ７では、表示欄ＳＬ１に表示された、例えばモジュールＩＤのモジュール２に接続されたセンサ１０の接続ポート２１ａ〜接続ポート２１ｃの各ポート番号を選択することができる。また、選択欄ＳＬ４，ＳＬ６，ＳＬ８では、接続ポート２１ａ〜接続ポート２１ｃのそれぞれに接続されているセンサ１０のセンサ情報を選択することができる。
【００４４】
また、プロパティ追加ボタンＢ２は、プロパティを追加する場合に操作されるボタンである。保存ボタンＢ３は、装置情報登録画面Ｗ１に入力された情報を保存する場合に操作されるボタンである。
【００４５】
以下に、上記装置情報登録画面Ｗ１において、センサ１０が接続された接続ポート２１と、当該センサ１０の種類を含むセンサ情報と、を関連付けた関連情報を生成する方法について、具体的に説明する。
【００４６】
ここで、本実施形態では、各モジュール２のモジュールＩＤには、複数の接続ポート２１のそれぞれに対応するプロパティ（第１〜第３のプロパティ）が紐付けされている。例えば、第１のプロパティは、接続ポート２１ａに対応するものである。第２のプロパティは、接続ポート２１ｂに対応するものである。第３のプロパティは、接続ポート２１ｃに対応するものである。
【００４７】
例えば、通信端末３を操作する利用者は、接続ポート２１ａのポート番号を選択欄ＳＬ３により選択する。また、通信端末３を操作する利用者は、接続ポート２１ａに接続されたセンサ１０のセンサ情報を選択欄ＳＬ４により選択する。これにより、接続ポート２１ａに接続されたセンサ１０のセンサ情報は、モジュールＩＤの第１のプロパティとして設定される。また、通信端末３を操作する利用者は、接続ポート２１ｂのポート番号を選択欄ＳＬ５により選択する。また、通信端末３を操作する利用者は、接続ポート２１ｂに接続されたセンサ１０のセンサ情報を選択欄ＳＬ６により選択する。これにより、接続ポート２１ｂに接続されたセンサ１０のセンサ情報は、モジュールＩＤの第２のプロパティとして設定される。さらに、通信端末３を操作する利用者は、接続ポート２１ｃのポート番号を選択欄ＳＬ７により選択する。また、通信端末３を操作する利用者は、接続ポート２１ｃに接続されたセンサ１０のセンサ情報を選択欄ＳＬ８により選択する。これにより、接続ポート２１ｃに接続されたセンサ１０のセンサ情報は、モジュールＩＤの第３のプロパティとして設定される。
【００４８】
選択欄ＳＬ１〜ＳＬ８の各々の右端部には、選択肢表示ボタン（記号「▽」が表示されているボタン）が設けられている。この選択肢表示ボタンは、選択欄ＳＬ１〜ＳＬ８の各々における選択肢を表示するためのボタンである。例えば、選択欄ＳＬ１に設けられた選択肢表示ボタンを押下すると、識別情報の選択肢として、デバイスＩＤ及びモジュールＩＤ等が表示される。
また、選択欄ＳＬ２に設けられた選択肢表示ボタンを押下すると、接続先の選択肢として、デバイスＩＤが表示される。
また、選択欄ＳＬ３，ＳＬ５，ＳＬ７のそれぞれに設けられた選択肢表示ボタンを押下すると、センサ１０が接続された接続ポートの選択肢として、モジュール２（又は中継装置４）が有する接続ポートが表示される。
また、選択欄ＳＬ４，ＳＬ６，ＳＬ８のそれぞれに設けられた選択肢表示ボタンを押下すると、センサ１０の種類の選択肢として「温湿度センサ」、「圧力センサ」、「流量センサ」等が表示される。また、さらに選択欄ＳＬ４，ＳＬ６，ＳＬ８のそれぞれに設けられた選択肢表示ボタンを押下すると、センサ１０の種類が選択されたセンサ１０の感度やレンジを種々の値に選択する選択肢が表示される。また、本例では、選択する手法を例として挙げたが、直接文字を入力する等の別方法で実施しても良い。なお、図４に示す装置情報登録画面Ｗ１は、あくまでも一例であって、選択欄の数や種類は任意である。
【００４９】
このように、制御部３４は、利用者からの操作により、各モジュールＩＤのモジュール２に接続されたセンサ１０のセンサ情報を、そのモジュールＩＤのプロパティとして設定する。
【００５０】
入力部３６は、利用者から、センサ１０が接続された接続ポート２１の情報と、当該センサ１０の種類を含むセンサ情報と、を受け付ける。すなわち、入力部３６は、利用者から、選択欄ＳＬ１〜ＳＬ８やボタンＢ１〜Ｂ３に対する操作を受け付ける。なお、入力部３６は、キーボード、タッチパネル又はマイクであってよい。
【００５１】
記憶部３７には、上述で生成された関連情報を制御部３４を経由して記憶する。
第２通信部３８は、中継装置４と無線通信することで情報を送受する。ここで、この無線通信における通信回線は、インターネット等のコンピュータネットワーク、通信事業者のコアネットワーク（ネットワークが通信の中枢として用いる大容量の通信回線）、及び種々のローカルネットワークを含む。例えば、第２通信部３８は、省電力広域ネットワーク(LPWAN：Low-power Wide-area)を用いてもよいし、短距離無線通信規格であるＺｉｇＢｅｅ（登録商標）、ＷｉＦｉ（登録商標）、ＢＬＥ等を用いてもよい。
制御部３４は、第２通信部３８を介して関連情報を中継装置４に送信する。
【００５２】
第３通信部３９は、クラウドサーバ５と通信ネットワーク１００を介して情報を送受する。この通信ネットワーク１００は、無線通信の伝送路であってもよく、無線通信の伝送路及び有線通信の伝送路の組み合わせであってもよい。通信ネットワーク１００は、インターネット等のコンピュータネットワーク、通信事業者のコアネットワーク、及び種々のローカルネットワークを含む。例えば、通信ネットワーク１００は、３Ｇ方式、ＬＴＥ方式、４Ｇ方式などの移動体通信方式の無線通信網であってもよく、ＷｉＦｉ（登録商標）のような無線ＬＡＮ方式、ＷｉＭＡＸ（登録商標）のような無線ＭＡＮ方式、無線ＷＡＮ方式などの無線データ通信方式の無線通信網であってもよい。
【００５３】
第３通信部３９は、読取装置３２により取得したデバイスＩＤ、モジュールＩＤ等の情報、プロパティ等を、通信ネットワーク１００を介してクラウドサーバ５に送信することができる。
【００５４】
中継装置４は、モジュール２や通信端末３とクラウドサーバ５との間の通信を中継する。例えば、中継装置４は、モジュール２や通信端末３から送信された情報をクラウドサーバ５に中継する。例えば、中継装置４は、ゲートウェイとして機能する。
以下に、本発明の一実施形態に係る中継装置４について、説明する。
図５は、本発明の一実施形態に係る中継装置４の概略構成の一例を示す図である。
図５に示すように、中継装置４は、接続ポート４１、第４通信部４２、信号処理部４３、記憶部４４、表示部４５、第５通信部４６及び第７通信部４７を備える。
接続ポート４１は、センサ１０が接続されるインターフェースである。本実施形態では、中継装置４は、一つの接続ポートを有するが、これに限定されない。例えば、中継装置４は、接続ポート４１を備えていなくてもよいし、複数の接続ポート４１を備えていてもよい。
【００５５】
第４通信部４２は、第２通信部３８と無線通信することで、情報を送受する。例えば、第４通信部４２は、第２通信部３８と無線通信することで、関連情報を取得する。
【００５６】
信号処理部４３は、第４通信部４２により取得した関連情報を記憶部４４に記憶する。また、信号処理部４３は、第４通信部４２により取得した関連情報を、クラウドサーバ５への登録用のデータとして、所定のフォーマットに変換する。例えば、信号処理部４３は、第４通信部４２により取得した関連情報を、例えば、JSON（;JavaScript（登録商標） Object Notation）の情報に変換する。以下、クラウドサーバ５への登録用のデータとして所定のフォーマットに変換された関連情報を、登録情報と称す。
信号処理部４３は、登録情報を第７通信部４７を介して第１通信部２６に送信することで、モジュール２の記憶部２２に、その登録情報を記憶させる。
また、信号処理部４３は、登録情報を通信ネットワーク１００を介してクラウドサーバ５に送信する。
また、信号処理部４３は、登録情報に従いセンサ１０から送付されている測定データ変換をしたり、統計処理をしたり、相関データを取ったりすることができる。なお、モジュール２と通信端末３の通信方式は同じであってもよい。
【００５７】
記憶部４４は、自装置の中継装置４を一意に識別する識別情報であるデバイスＩＤが記憶されている。
信号処理部４３は、記憶部４４に記憶されたデバイスＩＤを示す情報コードＣの画像データを表示部４５に表示する。なお、この表示部４５は、情報コードＣが印字されたシールであってもよいし、直接中継装置４に印字或いは刻印されていてもよい。
【００５８】
信号処理部４３は、モジュール２から送信された測定値を、通信ネットワーク１００を介してクラウドサーバ５に送信する。また、必要に応じて、クラウドサーバ５に適した通信フォーマットに変換する処理も行う。
【００５９】
なお、中継装置４は、電源プラグ１１０が不図示のコンセントに挿入されることで外部装置である商用電源から電力を取得してもよい。
【００６０】
中継装置４は、通信端末３との通信機能をＯＮ、ＯＦＦするハードウェアのキースイッチを備え、このキースイッチを操作することにより、必要以外の時の通信機能を制限することができる。このようなキースイッチによる通信機能の制限は、測定データをアップロードのみを用いてクラウドに送信するような場合、ダウンロードの時間を極力少なくすることができるため、中継装置４やモジュール２をウィルスなどに感染することから、守ることができ、セキュリティーを向上させることができる。
【００６１】
クラウドサーバ５は、通信ネットワーク１００を介して通信端末３及び中継装置４と情報を送受する。なお、クラウドサーバ５は、通信ネットワーク１００を介して通信端末３または中継装置４の少なくともいずれかと情報を送受するものであってもよい。
以下に、本発明の一実施形態に係るクラウドサーバ５の構成について、説明する。
図６に示すように、クラウドサーバ５は、第６通信部５１、制御部５２及び記憶部５３を備える。
【００６２】
第６通信部５１は、通信ネットワーク１００を介して通信端末３及び中継装置４と情報を送受する。なお、第６通信部５１は、通信ネットワーク１００を介して通信端末３または中継装置４の少なくともいずれかと情報を送受するものでもよい。
制御部５２は、通信ネットワーク１００を介して通信端末３から中継装置４のデバイスＩＤを取得する。そして、制御部５２は、通信端末３から取得したデバイスＩＤに基づいて、中継装置４の認証を実施する。例えば、制御部５２は、通信端末３から取得したデバイスＩＤを、記憶部５３に記憶されているデバイスＩＤと比較照合することにより、中継装置４の認証を実施する。制御部５２は、通信端末３から取得したデバイスＩＤが記憶部５３に記憶されているデバイスＩＤと一致した場合には、中継装置４の認証が成功したと判定する。一方、制御部５２は、通信端末３から取得したデバイスＩＤと一致するデバイスＩＤが記憶部５３に記憶されていない場合には、中継装置４の認証が失敗したと判定する。なお、記憶部５３に記憶されているデバイスＩＤは、登録システム１において用いられる中継装置４のデバイスＩＤであって、予め記憶部５３に記憶されている。なお、中継装置４は、制御部５２により認証されることで、モジュール２や通信端末３から送信された情報をクラウドサーバ５に中継することがクラウドサーバ５により許可される。
【００６３】
制御部５２は、通信ネットワーク１００を介して中継装置４から登録情報を取得する。そして、制御部５２は、この登録情報を記憶部５３に記憶することで、各モジュール２の接続ポート４１に接続されたセンサ１０を登録する。
例えば、図７に示すように、制御部５２は、中継装置４から取得した登録情報を用いて、中継装置４のデバイスＩＤと、各モジュール２のモジュールＩＤとの紐付け、及び各モジュール２のモジュールＩＤと、そのモジュールＩＤのプロパティとして設定されるセンサ１０のセンサ情報との紐付けを行う。制御部５２は、これらの紐付けを行うことで、モジュール２から中継装置４を介して送信されたセンサ１０の測定値をテナントごとに記憶部５３に記憶可能となる。なお、各モジュール２、中継装置４がどのテナントで使用されているかは、予め設定されている。例えば、情報コードＣを発行した時点で、クラウドサーバ５に記録される。
【００６４】
以下に、記憶部５３に記憶されるセンサ１０の測定値について、図８を用いて説明する。
記憶部５３には、図８に示すように、テナント毎のテナント領域Ｒ１〜Ｒ３が設けられる。尚、ここでは、説明を簡単にするために、３つのテナント領域Ｒ１〜Ｒ３のみを図示しているが、テナント領域は、クラウドサーバ５を利用するテナントの数に応じた分だけ設けられる。ここでは、図８中のテナント領域Ｒ１が、図１に示すモジュール２−３に接続されたセンサ１０−１〜１０−３を使用しているテナントについてのテナント領域であるとする。この場合には、制御部５２は、センサ１０−１〜１０−３を使用するテナントのテナント領域Ｒ１に、そのセンサ１０−１〜１０−３から収集したデータを保存する。
【００６５】
なお、テナント領域とは、クラウドコンピューティングの技術が適用されたシステム環境、言い換えれば、マルチテナントに対応したシステム環境において、複数のテナントによって、コンピュータ、サーバ、ルータ、及びスイッチ等のクラウドコンピューティング環境を構成する構成要素が共有される領域であって、各テナントには、仮想化技術等を適用することにより論理的に分割された計算機リソースが割り当てられるものでもよい。また、ＶＬＡＮ（Virtual Local Area Network）等を用いて、テナント毎に異なるネットワークが構築されおり、システム環境には、論理的に分割された複数のシステム（複数のテナント）が構築されているものでもよい。
【００６６】
以下に、本実施形態に係る登録システム１の認証方法について、図９を用いて説明する。
通信端末３は、利用者による操作により、中継装置４の情報コードＣを撮像することで、その撮像した情報コードＣから中継装置４のデバイスＩＤを読み取る（ステップＳ１０１）。
そして、通信端末３は、読み取ったデバイスＩＤを通信ネットワーク１００を介してクラウドサーバ５に送信する（ステップＳ１０２）。
【００６７】
クラウドサーバ５は、通信端末３から取得したデバイスＩＤを、記憶部５３に記憶されているデバイスＩＤと比較照合することにより、中継装置４の認証を実施する（ステップＳ１０３）。制御部５２は、通信端末３から取得したデバイスＩＤが記憶部５３に記憶されているデバイスＩＤと一致した場合には、中継装置４の認証が成功したと判定する。これにより、クラウドサーバ５は、中継装置４の認証が成功すると、認証された中継装置４から登録情報が送信されることを許可する。すなわち、モジュール２とモジュール２に接続されたセンサ１０との登録処理の実行が許可される。
【００６８】
次に、本発明の一実施形態に係る、センサ１０の登録方法について、図１０を用いて説明する。図１０に示すように、本発明の一実施形態に係る、センサ１０の登録方法は、生成ステップと、登録ステップとを含む。
この生成ステップでは、センサ１０が接続された接続ポート２１と、当該センサ１０の種類を含むセンサ情報と、を関連付けた関連情報を生成する。
次に、登録ステップでは、生成ステップで生成された関連情報を予め設定されたフォーマットに変換してクラウドサーバ５に送信することで、接続ポート２１に接続されたセンサ１０をクラウドサーバ５に登録する。
【００６９】
例えば、生成ステップは、入力ステップ及び関連情報生成ステップを備える。登録ステップでは、取得ステップ、変換ステップ及び送信ステップを備える。
【００７０】
入力ステップでは、利用者が装置情報登録画面Ｗ１を操作することで、センサ１０が接続された接続ポート２１の情報と、当該センサ１０の種類を含むセンサ情報と、を通信端末３に入力する（ステップＳ２０１）。
関連情報生成ステップでは、通信端末３が、入力ステップにより入力された接続ポート２１の情報と、センサ１０の種類を含むセンサ情報と、を関連付けることで関連情報を生成する（ステップＳ２０２）。
【００７１】
取得ステップでは、通信端末３と中継装置４とが通信することで、中継装置４が、関連情報生成ステップにおいて生成された関連情報を通信端末３から取得する（ステップＳ２０３）。
変換ステップでは、中継装置４が取得ステップで取得した関連情報を、クラウドサーバ５に登録するためのフォーマットに変換する（ステップＳ２０４）。
送信ステップでは、中継装置４が前記変換ステップで変換した前記関連情報（登録情報）をクラウドサーバ５に送信する（ステップＳ２０５）。
【００７２】
次に、本発明の一実施形態に係る、センサ１０の登録方法について、図１１を用いて具体的に説明する。
図１１は、本発明の一実施形態に係る登録システム１のシーケンス図である。なお、クラウドサーバ５に登録するセンサ１０の配線や設置等は完了しているものとする。また、以下の説明においては、説明の便宜上、モジュール２−３の接続ポート２１ａ，２１ｂ，２１ｃのそれぞれに接続されたセンサ１０−１，１０−２，１０−３をクラウドサーバ５に登録する場合について、説明する。
【００７３】
通信端末３は、所定のアプリケーションを起動し、装置情報登録画面Ｗ１を表示部３５に表示する。通信端末３は、装置情報登録画面Ｗ１における装置ＩＤ・ＧＰＳ取得ボタンＢ１が押下されることで、中継装置４の情報コードＣからデバイスＩＤを読み取る（ステップＳ３０１）。そして、通信端末３は、情報コードＣから得られる中継装置４のデバイスＩＤを自装置の記憶部３７に登録する。この読み取りにより、以降のモジュール２の接続先の選択肢ＳＬ２に中継装置４を選択することができるようになる。通信端末３は、同様のアプリケーションを用いて、利用者による操作によりモジュール２の情報コードＣを撮像することで、その撮像した情報コードＣからそのモジュール２のモジュールＩＤを読み取る（ステップＳ３０２）。ここでは、デバイスＩＤとモジュールＩＤの関係を定義することにより中継装置４とモジュール２との接続を担保する仕組みを組み込むこともでき、中継装置４とモジュール２との通信が可能となる。例えば、中継装置４の情報にローカルＩＰアドレスのテーブルをダウンロードしておき、空いているＩＰアドレスをモジュール２に割り当てる等の方法を使用することができる。また、ＤＨＣＰを利用する場合は、ローカル接続の接続認証を同様の作業に組込むこともできる。
【００７４】
通信端末３は、ステップＳ３０２においてモジュールＩＤを読み取った場合に、自装置の位置情報を取得する（ステップＳ３０３）。通信端末３は、読み取ったモジュールＩＤのプロパティとして、センサ１０−１〜センサ１０−３のそれぞれのセンサ情報を設定する。換言すれば、この装置情報登録画面Ｗ１は、センサ１０−１〜センサ１０−３のそれぞれが接続された接続ポート２１ａ〜２１ｃと、当該センサ１０−１〜センサ１０−３の種類を含むセンサ情報と、を関連付ける画面である。
【００７５】
利用者は、この装置情報登録画面Ｗ１の入力部３６（選択欄ＳＬ１〜ＳＬ３）を用いて、接続ポート２１ａ〜２１ｃの情報と、センサ１０−１〜センサ１０−３のセンサ情報と、を通信端末３に入力する（ステップＳ３０４）。これにより、通信端末３は、入力された接続ポート２１ａ〜２１ｃの情報と、センサ１０−１〜センサ１０−３のセンサ情報と、を関連付ける。具体的には、通信端末３は、接続ポート２１ａと接続ポート２１ａに接続されたセンサ１０−１のセンサ情報を、第１のプロパティとして設定することで、関連情報を生成する。また、通信端末３は、接続ポート２１ｂと接続ポート２１ａに接続されたセンサ１０−２のセンサ情報を、第２のプロパティとして設定することで、関連情報を生成する。また、通信端末３は、接続ポート２１ｃと接続ポート２１ｃに接続されたセンサ１０−３のセンサ情報を、第３のプロパティとして設定することで、関連情報を生成する。そして、通信端末３は、生成したすべての関連情報を中継装置４に送信する（ステップＳ３０５）。
【００７６】
中継装置４は、通信端末３から送信された関連情報を記憶部４４に記憶する。中継装置４と通信端末３との通信方式と、中継装置４とモジュール２との通信方式と、は異なっていても良い。例えば、中継装置４と通信端末３との通信方式をＷｉＦｉ（登録商標）等、比較的早い通信方式を採用し、中継装置４とモジュール２との通信方式は通信量を抑え、電池の持ちを良くするＬＰＷＡＮ等を採用することができる。また、中継装置４は、第４通信部４２から送信された関連情報を、登録情報に変換する（ステップＳ３０６）。そして、中継装置４は、変換した登録情報を、無線通信を介して、モジュール２−３に送信する（ステップＳ３０７）。モジュール２−３は、中継装置４から送信された登録情報を記憶部２２に書き込む（ステップＳ３０８）。
【００７７】
また、ステップＳ３０７の処理において、中継装置４は、変換した登録情報を、通信ネットワーク１００を介してクラウドサーバ５に送信する。
クラウドサーバ５は、通信ネットワーク１００を介して登録情報を取得する（ステップＳ３０９）。
クラウドサーバ５は、中継装置４から取得した登録情報を用いて、中継装置４のデバイスＩＤと、モジュール２−３のモジュールＩＤとの紐付け、及びモジュール２−３のモジュールＩＤと、そのモジュールＩＤのプロパティとして設定されるセンサ１０−１〜１０−３のセンサ情報との紐付けを行う（ステップＳ３１０）。これにより、クラウドサーバ５におけるセンサ１０−１〜１０−３の登録が完了する。
【００７８】
上述したように、本実施形態に係る、センサ１０の登録システム１は、モジュール２及び通信端末３又は中継装置４を備える。
モジュール２は、センサ１０が接続される複数の接続ポート２１を備え、接続ポート２１に接続されたセンサ１０が測定した測定値を中継装置４を介して、クラウドサーバ５に送信する。
通信端末３又は中継装置４は、センサ１０が接続された接続ポート２１と、当該センサ１０の種類を含むセンサ情報と、を関連付けた関連情報を予め設定されたフォーマットに変換してクラウドサーバ５に送信することで、接続ポート２１に接続されたセンサ１０をクラウドサーバ５に登録する。
【００７９】
これにより、モジュール２の設置箇所で通信端末３の通信機能が使えない場合でも、通信端末３の記憶部３７に、現場の位置情報や登録情報を複数のモジュール２について登録しておき、中継装置４の近くに移動してから一括で中継装置４を介して登録が可能になる。また、上述の他に、モジュール２の設置時の状況の写真やその設置時の状況のメモ書き等を、各プロパティの付帯情報として、通信端末３に記録しておく機能を追加することにより、登録情報のみでなく、登録情報の付帯情報として、設置状況の記録機能も兼ねることができる。
【００８０】
これにより、現場において未登録のセンサ１０をクラウドサーバ５に容易に登録することができる。そのため、現場において未登録のセンサ１０を利用可能とすることができる。また、事前にクラウドサーバ５に登録されていたセンサ情報が、現場にて変更になった場合であっても、現場の状況に合わせて、センサ１０のセンサ情報を容易にクラウドサーバ５に反映が可能である。この現場の状況に合わせて、例えば、事前登録されていた河川周辺に設置されたセンサ１０の設置位置が台風や嵐などにより変わってしまった場合に、位置情報をクラウドサーバ５に更新・反映することや、センサ１０設置場所の温度環境に変化があり、センサ１０の温度測定範囲を２００℃から３００℃に変更し、この変更したセンサ情報をクラウドサーバ５に反映することなどが挙げられる。
【００８１】
なお、上述の実施形態において、中継装置４が関連情報を登録情報に変換し、その登録情報をクラウドサーバ５に送信する場合について説明したが、これに限定されない。例えば、通信端末３が関連情報を登録情報に変換し、その登録情報を通信ネットワーク１００を介してクラウドサーバ５に送信してもよい。
【００８２】
また、通信端末３に内蔵されていない通信方法については、図１２に示すように外付けの通信モジュール６を取り付けることにより中継装置４との通信を実現できる。例えば、ＬＰＷＡＮ通信を用いるような場合には、このような手法が有効である。
【００８３】
次に、本実施形態に係る登録システム１の変形例について、説明する。
図１２は、本変形例の登録システム１Ａの概略構成の一例を示す図である。ここでは、ＬＰＷＡＮをモジュール２、通信端末３Ａ、中継器４を同一の通信手法を用いて、接続する方法を記述している。本変形例の登録システム１Ａは、登録システム１と比較して、複数のセンサ１０が設置された現場において、特定のセンサ１０の設置位置を容易に発見可能な機能（センサ探索機能）を更に有する。
図１２に示すように、登録システム１Ａは、複数のモジュール２Ａ（２Ａ−１，２Ａ−２，２Ａ−３，…２Ａ−Ｎ、通信端末３Ａ、中継装置４、クラウドサーバ５及び通信モジュール６を備える。
【００８４】
図１３に示すように、モジュール２Ａは、複数の接続ポート２１（２１ａ，ｂ，ｃ）、記憶部２２、電源装置２３、制御部２４Ａ、表示部２５、第１通信部２６及び出力部２７を備える。
出力部２７は、制御部２４Ａからの出力信号に基づいて所定の情報を出力する。例えば、出力部２７は、ブザー、表示灯及びスピーカの少なくとも一つを備える。例えば、出力部２７は、制御部２４Ａからの出力信号（点灯信号）に基づいて表示灯を点灯させて情報を出力する。また、出力部２７は、制御部２４Ａからの出力信号（ブザー信号）に基づいてブザーを鳴らして情報を出力する。
【００８５】
制御部２４Ａは、第１通信部２６を介して中継装置４から点灯信号を取得した場合には、出力部２７に出力信号を出力することで、表示灯を点灯させる。また、制御部２４Ａは、第１通信部２６を介して中継装置４からブザー信号を取得した場合には、出力部２７に出力信号を出力することで、ブザーを出力させる。
【００８６】
次に、本変形例である通信端末３Ａについて、図１４を用いて説明する。
図１４に示すように、通信端末３Ａは、電源装置３１、読取装置３２、位置情報取得部３３、制御部３４Ａ、表示部３５、入力部３６、記憶部３７、第２通信部３８及び第３通信部３９を備える。
制御部３４Ａは、通信モジュール６に接続されている。通信モジュール６は、省電力広域ネットワーク(LPWAN：Low-power Wide-area)を用いた通信モジュールである。なお、通信モジュール６と通信端末３Ａとは、同一の機器として構成されてもよい。
【００８７】
制御部３４Ａは、特定のセンサ１０の設置位置を探索するために、モジュール２の出力部２７から所定の情報を出力させる処理を実行する。例えば、制御部３４Ａは、図１５に示すセンサ探索画面Ｗ２を表示部３５に表示させる。そして、制御部３４Ａは、このセンサ探索画面Ｗ２で特定されたセンサ１０が、接続されているモジュール２の出力部２７から所定の情報を出力させる処理を実行する。
【００８８】
図１５に示すように、センサ探索画面Ｗ２は、表示欄ＨＬ２，ＨＬ３，ＨＬ４及び選択ボタンＢ４，Ｂ５を備える。
表示欄ＨＬ２には、探索対象のセンサ１０の設置位置が表示される。なお、この探索対象のセンサ１０は、利用者により決定される。この設置位置とは、探索対象のセンサ１０が接続されるモジュール２がクラウドサーバ５に登録した場合に位置情報取得部３３により取得された位置情報である。
表示欄ＨＬ３には、通信端末３Ａにおける現在の位置情報が表示される。この位置情報は、位置情報取得部３３により取得される位置情報である。例えば、この位置情報の取得には、ＧＰＳの利用が可能である。
表示欄ＨＬ４には、通信端末３Ａ又は探索対象のセンサ１０の周辺地図が表示される。そして、通信端末３Ａ及び探索対象のセンサ１０の設置位置がその周辺地図上に表示される。
なお、記憶部３７は、センサの周辺地図のみならず、世界地図を格納しているものでもよい。例えば、制御部３４Ａは、位置情報取得部３３により取得された位置情報および記憶部３７の世界地図に基づき、複数のセンサ１０の位置を表示欄ＨＬ４に表示される当該世界地図上に表示するものであってもよい。また、制御部３４Ａは、入力部３６を介して入力される利用者からの指示に基づき、表示部３５を制御して表示欄ＨＬ４の地図を拡大縮小して、地図を表示することが可能とするものであってもよい。
【００８９】
選択ボタンＢ４，Ｂ５は、探索対象のセンサ１０に接続されたモジュール２の出力部２７からどのような情報を出力するかを選択するためのボタンである。図１５に示す例において、選択ボタンＢ４は、「表示灯を点灯する」を選択するためのボタンであり、選択ボタンＢ５は、「ブザーを鳴らす」を選択するためのボタンである。なお、図１５に示すセンサ探索画面Ｗ２は、あくまでも一例であって、表示欄ＨＬ２，ＨＬ３，ＨＬ４及び選択ボタンＢ４，Ｂ５以外に他の選択ボタンが用意されていてもよく、また表示欄ＨＬ２，ＨＬ３，ＨＬ４及び選択ボタンＢ４，Ｂ５の配置は任意に設定することができる。
【００９０】
制御部３４Ａは、ユーザにより選択ボタンＢ４が操作されると、表示灯を点灯させることを示す点灯信号を通信モジュール６を介して中継装置４を介して、モジュールに送信する。また、制御部３４Ａは、ユーザにより選択ボタンＢ５が操作されると、ブザーを鳴らすことを示すブザー信号を通信モジュール６を介して中継装置４を介して、モジュールに送信する。なお、この点灯信号及びブザー信号には、探索対象のセンサ１０を一意に識別する情報が付与されている。例えば、この情報は、探索対象のセンサ１０の位置情報でもよいし、探索対象のセンサ１０のセンサ情報が設定されたプロパティの情報でもよい。
【００９１】
以下に、本変形例の登録システム１Ａに係る、現場に設置されたセンサ１０の探索方法について、図１６を用いて説明する。
利用者は、通信端末３Ａに通信モジュール６を接続する。そして、利用者は、通信端末３Ａを所持しながら、入力部３６を操作することで、通信端末３Ａの表示部３５にセンサ探索画面Ｗ２を表示させる（ステップＳ４０１）。通信端末３Ａは、利用者の操作に基づいて、探索対象のセンサ１０を設定する（ステップＳ４０２）。通信端末３Ａは、設定した探索対象のセンサ１０の設置位置を表示欄ＨＬ２に表示する。また、通信端末３Ａは、自装置の位置情報を表示欄ＨＬ３に表示する。そして、通信端末３Ａは、通信端末３Ａ及び探索対象のセンサ１０の設置位置が表示された地図を、表示欄ＨＬ４に表示する。これにより、利用者は、表示欄ＨＬ４に表示された地図を確認しながら、探索対象のセンサ１０の設置位置の近傍まで到達することができる。
【００９２】
ただし、利用者は、表示欄ＨＬ４に表示された地図を確認するだけでは、探索対象のセンサ１０の設置位置の近傍まで到達できても、探索対象のセンサ１０を発見できない場合がある。その場合には、利用者は、選択ボタンＢ４、Ｂ５の少なくともいずれか一方を操作する。以下の説明において、説明の便宜上、利用者が選択ボタンＢ４を操作した場合について、説明する。
【００９３】
通信端末３Ａは、利用者により選択ボタンＢ４が操作されると、点灯信号を通信モジュール６を介して中継装置４に送信する。すなわち、通信端末３Ａは、ユーザにより選択ボタンＢ５が操作されると、点灯信号を省電力広域ネットワークを用いて中継装置４に送信する（ステップＳ４０３）。
【００９４】
中継装置４は、通信モジュール６を介して通信端末３Ａから点灯信号を取得する。そして、中継装置４は、取得した点灯信号から探索対象のセンサ１０が接続されているモジュール２を判別する。例えば、中継装置４は、取得した点灯信号に付与されているプロパティの情報から探索対象のセンサ１０が接続されているモジュール２を判別する。
そして、中継装置４は、判別したモジュール２に点灯信号を送信する（ステップＳ４０４）。
【００９５】
探索対象のセンサ１０が接続されているモジュール２は、中継装置４から点灯信号を取得すると、出力部２７の表示灯を点灯させる（ステップＳ４０５）。これにより、利用者は、点灯しているモジュール２を発見することで、そのモジュール２に接続された探索対象のセンサ１０を容易に発見することができる。
【００９６】
なお、本変形例に係るセンサ１０の探索方法では、通信端末３Ａから中継装置４への通信として、省電力広域ネットワークが用いられる。そのため、探索対象のセンサ１０が携帯電話網が届かない現場に設置されている場合であっても、その探索対象のセンサ１０を容易に発見することができる。
【００９７】
なお、上述した通信端末３，３Ａは、通信機能を備えたコンピュータによって実現される。すなわち、通信端末３，３Ａは、ハードウエア構成要素とソフトウエア構成要素とが組み合わされて構成されている。ソフトウエア構成要素は、センサ１０が接続された接続ポート２１と、当該センサ１０の種類を含むセンサ情報と、を関連付けた関連情報を生成する関連情報生成プログラム、及びセンサ探索機能を実行するセンサ探索プログラムである。
【００９８】
また、ハードウエア構成要素は、関連情報生成プログラム及びセンサ探索プログラムを記憶するＲＯＭ、関連情報生成プログラム及びセンサ探索プログラムに基づいて情報処理を行うＣＰＵ、ＣＰＵの処理結果を一時的に保存するＲＡＭ、ＣＰＵが外部と通信を行うためのインターフェース回路、ＣＰＵの処理結果を表示する表示装置、ＣＰＵにセンター管理者の操作指示を入力するための操作装置、上記ＲＯＭ、ＣＰＵ、ＲＡＭ、インターフェース回路、表示装置及び操作装置を電気的の相互接続するバスライン等である。
【００９９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１００】
１  登録システム
２  モジュール
３  通信端末
４  中継装置
５  クラウドサーバ
２１  接続ポート
２４，３４  制御部
２６  第１通信部
３６  入力部
４３  信号処理部
【図１】
2018128733.tif 000003
【図２】
2018128733.tif 000004
【図３】
2018128733.tif 000005
【図４】
2018128733.tif 000006
【図５】
2018128733.tif 000007
【図６】
2018128733.tif 000008
【図７】
2018128733.tif 000009
【図８】
2018128733.tif 000010
【図９】
2018128733.tif 000011
【図１０】
2018128733.tif 000012
【図１１】
2018128733.tif 000013
【図１２】
2018128733.tif 000014
【図１３】
2018128733.tif 000015
【図１４】
2018128733.tif 000016
【図１５】
2018128733.tif 000017
【図１６】
2018128733.tif 000018